(57)【要約】【課題】  回路装置の構成を簡素化できるようにする。【解決手段】  第１の回路に供給すべく外部から入力される第１のタイミング信号を分周して第２のタイミング信号を得る分周器１６、第２の回路２４に供給すべく第２のタイミング信号が外部から入力される場合に当該第２のタイミング信号のパルス数をカウントし、このカウント値が所定値に達したときに選択信号を出力するカウンタ１８、及び、カウンタ１８から選択信号が出力された場合に外部から入力される第２のタイミング信号を第２の回路２４に供給し、第２のタイミング信号が外部から入力されないためにカウンタ１８から選択信号が出力されない場合に分周器１６から得た第２のタイミング信号を第２の回路２４に供給するセレクタ２０を備える。【選択図】      図１
2005244693.tif 000002
【特許請求の範囲】
【請求項１】
第１のタイミング信号を第１の回路に供給し、第１のタイミング信号よりも周期の長い第２のタイミング信号を第２の回路に供給する回路装置におけるタイミング信号切換装置であって、前記第１の回路に供給すべく外部から入力される第１のタイミング信号を分周して前記第２のタイミング信号を得る分周器と、前記第２の回路に供給すべく前記第２のタイミング信号が外部から入力される場合に当該第２のタイミング信号のパルス数をカウントし、このカウント値が所定値に達したときに選択信号を出力するカウンタと、このカウンタから選択信号が出力された場合に前記外部から入力される第２のタイミング信号を前記第２の回路に供給し、前記第２のタイミング信号が外部から入力されないために前記カウンタから選択信号が出力されない場合に前記分周器から得た第２のタイミング信号を前記第２の回路に供給するセレクタとを備えたことを特徴とするタイミング信号切換装置。
【請求項２】
第１の入力部と第２の入力部とを備え、前記第１の入力部には第１のタイミング信号が入力されると共に、前記第２の入力部には第２のタイミング信号が入力され、前記第１の入力部に入力される第１のタイミング信号は前記第１の回路と前記分周器とに分岐され、前記第２の入力部に入力される第２のタイミング信号は前記カウンタと前記セレクタとに分岐されることを特徴とする請求項１記載のタイミング信号切換装置。
【請求項３】
前記第１の入力部は第１のタイミング信号を生成する第１の発振器に接続されると共に、前記第２の入力部は第２のタイミング信号を生成する第２の発振器に接続され、前記第１の発振器から入力される第１のタイミング信号が前記第１の回路と前記分周器とに分岐されると共に、前記第２の発振器から入力される第２のタイミング信号が前記カウンタと前記セレクタとに分岐されることを特徴とする請求項２記載のタイミング信号切換装置。
【請求項４】
第１の入力部と第２の入力部とを備え、前記第１の入力部には第１のタイミング信号が入力されると共に、前記第２の入力部には第２のタイミング信号が入力されないようにされ、前記第１の入力部に入力される第１のタイミング信号は前記第１の回路と前記分周器とに分岐され、この分周器に分岐された第１のタイミング信号が分周されて第２のタイミング信号として前記第２の回路に供給されることを特徴とする請求項１記載のタイミング信号切換装置。
【請求項５】
前記第１の入力部は前記第１のタイミング信号を生成する第１の発振器に接続されると共に、前記第２の入力部は接地され、前記第１の発振器から入力される第１のタイミング信号が前記第１の回路と前記分周器とに分岐され、この分周器に分岐された第１のタイミング信号が分周されて第２のタイミング信号として前記第２の回路に供給されることを特徴とする請求項４記載のタイミング信号切換装置。
【発明の詳細な説明】
【技術分野】
【０００１】
本発明は、それぞれ周期の異なるタイミング信号により駆動される複数の回路を備えた回路装置におけるタイミング信号切換装置に関する。
【背景技術】
【０００２】
従来から、それぞれ周期の異なるタイミング信号により駆動される複数の回路を備えた半導体集積回路などの回路装置が汎用されている。このような回路装置においては、外部から入力されるタイミング信号（例えば、２０ＭHz）を分周することで必要とする周期のタイミング信号（例えば、１０ＭHz）を得るための分周器と、必要とする周期のタイミング信号（例えば、８ＭHz）が分周によっては得られないために外部から入力される場合はその外部から入力されるタイミング信号を回路に供給し、必要とする周期のタイミング信号が分周により得られる場合は分周器から得たタイミング信号を回路に供給するセレクタとが配設されている（例えば、特許文献１）。
【０００３】
この構成によれば、外部から入力されるタイミング信号（例えば、２０ＭHz）を分周することで必要とする周期のタイミング信号（例えば、１０ＭHz）が得られる場合は、内蔵されている分周器を用いることで回路装置の外部におけるタイミング信号を生成するための発振器を削減することができ、回路装置周辺の配線構造を簡素化することができる。
【特許文献１】特開平２００３−１０８３８１号公報
【発明の開示】
【発明が解決しようとする課題】
【０００４】
上記の従来構成では、セレクタの動作を制御するための選択信号が必要となるが、回路装置内にセレクタに選択信号を供給する制御装置を備えていない場合には、回路装置の外部における選択信号生成回路から選択信号を入力するための入力端子などの入力部を回路装置に設けておく必要がある。このため、回路装置の構成が複雑になるだけでなく、回路装置周辺の回路構成も複雑になるという問題があった。
【０００５】
本発明は、このような事情に鑑みてなされたもので、回路装置の構成を簡素化することのできるタイミング信号切換装置を提供することを目的とする。
【課題を解決するための手段】
【０００６】
上記目的を達成するため、請求項１の発明は、第１のタイミング信号を第１の回路に供給し、第１のタイミング信号よりも周期の長い第２のタイミング信号を第２の回路に供給する回路装置におけるタイミング信号切換装置であって、前記第１の回路に供給すべく外部から入力される第１のタイミング信号を分周して前記第２のタイミング信号を得る分周器と、前記第２の回路に供給すべく前記第２のタイミング信号が外部から入力される場合に当該第２のタイミング信号のパルス数をカウントし、このカウント値が所定値に達したときに選択信号を出力するカウンタと、このカウンタから選択信号が出力された場合に前記外部から入力される第２のタイミング信号を前記第２の回路に供給し、前記第２のタイミング信号が外部から入力されないために前記カウンタから選択信号が出力されない場合に前記分周器から得た第２のタイミング信号を前記第２の回路に供給するセレクタとを備えたことを特徴としている。
【０００７】
また、請求項２の発明は、請求項１に係るものにおいて、第１の入力部と第２の入力部とを備え、前記第１の入力部には第１のタイミング信号が入力されると共に、前記第２の入力部には第２のタイミング信号が入力され、前記第１の入力部に入力される第１のタイミング信号は前記第１の回路と前記分周器とに分岐され、前記第２の入力部に入力される第２のタイミング信号は前記カウンタと前記セレクタとに分岐されることを特徴としている。
【０００８】
また、請求項３の発明は、請求項２に係るものにおいて、前記第１の入力部は第１のタイミング信号を生成する第１の発振器に接続されると共に、前記第２の入力部は第２のタイミング信号を生成する第２の発振器に接続され、前記第１の発振器から入力される第１のタイミング信号が前記第１の回路と前記分周器とに分岐されると共に、前記第２の発振器から入力される第２のタイミング信号が前記カウンタと前記セレクタとに分岐されることを特徴としている。
【０００９】
また、請求項４の発明は、請求項１に係るものにおいて、第１の入力部と第２の入力部とを備え、前記第１の入力部には第１のタイミング信号が入力されると共に、前記第２の入力部には第２のタイミング信号が入力されないようにされ、前記第１の入力部に入力される第１のタイミング信号は前記第１の回路と前記分周器とに分岐され、この分周器に分岐された第１のタイミング信号が分周されて第２のタイミング信号として前記第２の回路に供給されることを特徴としている。
【００１０】
また、請求項５の発明は、請求項４に係るものにおいて、前記第１の入力部は前記第１のタイミング信号を生成する第１の発振器に接続されると共に、前記第２の入力部は接地され、前記第１の発振器から入力される第１のタイミング信号が前記第１の回路と前記分周器とに分岐され、この分周器に分岐された第１のタイミング信号が分周されて第２のタイミング信号として前記第２の回路に供給されることを特徴としている。
【発明の効果】
【００１１】
請求項１の発明によれば、カウンタから選択信号が出力された場合に外部から入力される第２のタイミング信号がセレクタにより第２の回路に供給され、第２のタイミング信号が外部から入力されないためにカウンタから選択信号が出力されない場合に分周器から得た第２のタイミング信号がセレクタにより第２の回路に供給される。このため、セレクタに供給する選択信号を外部から供給するための入力部を回路装置に設ける必要がなくなる結果、回路装置の構成を簡素化することができる。また、回路装置の構成が簡素化されることで、回路装置周辺の配線構造も簡素化することができる。
【００１２】
請求項２の発明によれば、第１の入力部に入力された第１のタイミング信号は第１の回路と分周器とに分岐され、第２の入力部に入力された第２のタイミング信号はカウンタとセレクタとに分岐される。このため、第２の入力部に第２のタイミング信号が入力されることでカウンタから選択信号が出力された場合、第２の入力部に入力された第２のタイミング信号を第２の回路に確実に供給することができる。
【００１３】
請求項３の発明によれば、第１の発振器により第１の入力部に入力された第１のタイミング信号は第１の回路と分周器とに分岐され、第２の発振器により第２の入力部に入力された第２のタイミング信号はカウンタとセレクタとに分岐される。このため、第２の入力部に第２のタイミング信号が入力されることでカウンタから選択信号が出力された場合、第２の入力部に入力された第２のタイミング信号を第２の回路に確実に供給することができる。
【００１４】
請求項４の発明によれば、第１の入力部に入力される第１のタイミング信号は第１の回路と分周器とに分岐され、この分周器に分岐された第１のタイミング信号が分周されて第２のタイミング信号として第２の回路に供給される。このため、第２の入力部に第２のタイミング信号が入力されないためにカウンタから選択信号が出力されない場合、分周器で分周されて得た第２のタイミング信号を第２の回路に確実に供給することができる。
【００１５】
請求項５の発明によれば、第１の発振器により第１の入力部に入力された第１のタイミング信号は第１の回路と分周器とに分岐され、この分周器に分岐された第１のタイミング信号が分周されて第２のタイミング信号として第２の回路に供給される。このため、第２の入力部が接地されて第２のタイミング信号が入力されないためにカウンタから選択信号が出力されない場合、分周器で分周されて得た第２のタイミング信号を第２の回路に確実に供給することができる。
【発明を実施するための最良の形態】
【００１６】
図１は、本発明の一実施形態に係るタイミング信号切換装置が適用される半導体集積回路などの回路装置の概略構成を示すブロック図である。この図において、回路装置１０は、第１の入力部を構成する第１の入力端子１２と、第２の入力部を構成する第２の入力端子１４と、入力されたタイミング信号を所定の分周比で分周する分周器１６と、タイミング信号のパルス数をカウントし、所定のカウント値に達したときに選択信号（タイムアップ信号）を出力するカウンタ１８と、タイミング信号を選択するセレクタ２０と、所定周期の第１のタイミング信号により駆動される所定の機能を有する第１の回路２２と、第１のタイミング信号よりも周期の長い第２のタイミング信号により駆動される所定の機能を有する第２の回路２４とを備えている。ここで、分周器１６、カウンタ１８及びセレクタ２０によりタイミング信号切換装置２８が構成される。
【００１７】
なお、第１の入力端子１２及び第２の入力端子１４は、図略の半導体基板の端縁などに配設されるものであり、分周器１６、カウンタ１８、セレクタ２０、第１の回路２２及び第２の回路２４は、図略の半導体基板上に構成されるものである。また、分周器１６、カウンタ１８、セレクタ２０、第１の回路２２及び第２の回路２４は、例えば、外部から入力される制御信号に基づいて全体の動作が制御されるようになっている。
【００１８】
第１の入力端子１２は、外部に配設された第１の発振器の出力端に接続され、所定周期の第１のタイミング信号が入力されるものである。この第１の入力端子１２に入力された第１のタイミング信号は、第１の入力端子１２と分周器１６の入力端１６１とが結線されると共に、第１の入力端子１２と第１の回路２２の入力端２２１とが結線されることで、分周器１６と第１の回路２２とに分岐されるようになっている。
【００１９】
第２の入力端子１４は、外部に配設された第２の発振器の出力端に接続され、第１のタイミング信号よりも周期の長い所定周期の第２のタイミング信号（すなわち、第１のタイミング信号よりも周波数の低い第２のタイミング信号）が入力されるものである。この第２の入力端子１４に入力された第２のタイミング信号は、第２の入力端子１４とカウンタ１８の入力端１８１とが結線されると共に、第２の入力端子１４とセレクタ２０の第１の入力端２０１とが結線されることで、カウンタ１８とセレクタ２０とに分岐されるようになっている。なお、第２の入力端子１４に第２のタイミング信号が入力されない場合には、例えば第２の入力端子１４は接地される。
【００２０】
分周器１６は、外部から第１の入力端子１２に入力された第１のタイミング信号を所定の分周比で分周して第２の回路２４に供給する第２のタイミング信号を得るものである。この分周して得た第２のタイミング信号は、分周器１６の出力端１６２とセレクタ２０の第２の入力端２０２とが結線されることで、セレクタ２０の第２の入力端２０２に入力されるようになっている。なお、第２の入力端子１４に外部から第２のタイミング信号が入力される場合には、分周器１６は作動しないように設定される。これにより、余分な消費電力を効果的に削減することができる。
【００２１】
カウンタ１８は、外部から第２の入力端子１４に入力された第２のタイミング信号のパルス数をカウントし、カウント値が所定数に達したときにタイムアップ信号を出力するものである。この出力されたタイムアップ信号は、カウンタ１８の出力端１８２とセレクタ２０の制御端２０３とが結線されることで、セレクタ２０を選択動作させる選択信号（制御信号）としてセレクタ２０の制御端２０３に入力されるようになっている。
【００２２】
セレクタ２０は、カウンタ１８から制御端２０３に選択信号が入力されていないときに分周器１６から出力される第２のタイミング信号を第２の回路２４に供給し、カウンタ１８から制御端２０３に選択信号が入力されたときに第２の入力端子１４に入力された第２のタイミング信号を第２の回路２４に供給するように構成されている。このように、セレクタ２０に供給される選択信号は、カウンタ１８でのカウント値が所定値Ｎに達したときに出力されるようになっていることから、ノイズなどによる回路の誤動作を効果的に抑制することができる。
【００２３】
次に、上記のように構成された回路装置１０の使用動作例について説明する。図２は、第２の回路２４に供給する第２のタイミング信号が分周器１６の分周によっては得られない場合の接続例を示す図であり、図３はその使用動作例のタイミングチャートである。この例では、第１のタイミング信号を生成する外部の第１の発振器３２から第１の入力端子１２に第１のタイミング信号が入力され、第２のタイミング信号を生成する外部の第２の発振器３４から第２の入力端子１４に第２のタイミング信号が入力される。
【００２４】
この接続構成では、第１の入力端子１２に入力された第１のタイミング信号が第１の回路２２に供給されることで、第１の回路２２の初期化が開始される。また、初期時には、セレクタ２０は分周器１６の出力を第２の回路２４に供給する構成となっているため、第１の入力端子１２に入力された第１のタイミング信号が分周器１６で分周され、正規のものとは異なる周期のタイミング信号が第２の回路２４に供給されることで、第２の回路２４の初期化が開始される。
【００２５】
一方、カウンタ１８は、第２の入力端子１４に入力された第２のタイミング信号のパルス数のカウントを開始し、そのカウントが所定値Ｎに達すると選択信号を出力してセレクタ２０に供給する。セレクタ２０は、カウンタ１８から選択信号が入力されることで、第２の入力端子１４に入力された第２のタイミング信号を第２の回路２４に供給する。これにより、第２の回路２４が正規の動作を開始する。ここで、カウンタ１８のカウント値である所定値Ｎを第１，第２の回路２２，２４などの初期化が終了する直前（リセットが解除される直前）の値に設定しておくことで、初期化終了時点での正常な動作を保証することができる。なお、カウンタ１８のカウントが所定値Ｎに達したときには、第１の回路２２も正規の動作状態となっている。
【００２６】
図４は、第２の回路２４に供給する第２のタイミング信号が分周器１６の分周によって得られる場合の接続例を示す図であり、図５はその使用動作例のタイミングチャートである。この例では、第１のタイミング信号を生成する外部の第１の発振器３２から第１の入力端子１２に第１のタイミング信号が入力され、第２の入力端子１４は接地されて第２のタイミング信号が入力されない状態とされる。
【００２７】
この接続構成では、第１の入力端子１２に入力された第１のタイミング信号が第１の回路２２に供給されることで、第１の回路２２の初期化が開始される。また、初期時には、セレクタ２０は分周器１６の出力を第２の回路２４に供給する構成となっているため、第１の入力端子１２に入力された第１のタイミング信号が分周器１６で分周され、この分周により得た第２のタイミング信号が第２の回路２４に供給されることで、第２の回路２４の初期化が開始される。
【００２８】
一方、カウンタ１８は、第２の入力端子１４に第２のタイミング信号が入力されないため、パルス数のカウントを実行せず、選択信号も出力しないことになる。このため、セレクタ２０は、分周器１６から出力される第２のタイミング信号の第２の回路２４への供給を継続する。このため、第２の回路２４は初期化の終了後に正規の動作を開始する。このときには、第１の回路２２も正規の動作状態となっている。
【００２９】
本発明は，上記実施形態のように、第１の回路２２に供給すべく外部から入力される第１のタイミング信号を分周して第２のタイミング信号を得る分周器１６と、第２の回路２４に供給すべく第２のタイミング信号が外部から入力される場合に当該第２のタイミング信号のパルス数をカウントし、このカウント値が所定値に達したときに選択信号を出力するカウンタ１８と、このカウンタ１８から選択信号が出力された場合に外部から入力される第２のタイミング信号を第２の回路２４に供給し、第２のタイミング信号が外部から入力されないためにカウンタ１８から選択信号が出力されない場合に分周器１６から得た第２のタイミング信号を第２の回路２４に供給するセレクタ２０とを備えている。
【００３０】
この構成によれば、カウンタ１８から選択信号が出力された場合に外部から入力される第２のタイミング信号がセレクタ２０により第２の回路２２に供給され、第２のタイミング信号が外部から入力されないためにカウンタ１８から選択信号が出力されない場合に分周器１６から得た第２のタイミング信号がセレクタ２０により第２の回路２２に供給される。このため、セレクタに供給する選択信号を外部から供給するための入力端子を回路装置１０に設ける必要がなくなる結果、回路装置１０の構成を簡素化することができることに加え、回路装置１０周辺の配線構造も簡素化することができる。
【００３１】
なお、本発明は、上記実施形態のものに限定されるものではなく、以下に述べるような種々の変形態様を必要に応じて採用することができる。
【００３２】
（１）上記実施形態では、回路装置１０は半導体集積回路からなるものであるが、これに限るものではない。例えば、配線基板上にディスクリート部品を配置して構成した混成集積回路からなるものであってもよく、配線基板上に半導体集積回路やディスクリート部品などの電子部品を配置して構成した回路基板からなるものであってもよい。
【００３３】
（２）上記実施形態では、回路装置１０は、第１の回路２２及び第２の回路２４に対して外部から制御信号を供給するようにしているが、これに限るものではない。例えば、第１の回路２２及び第２の回路２４の動作を制御する制御部を内蔵するものであってもよい。
【００３４】
（３）上記実施形態では、分周器１６は、第２の入力端子１４に第２のタイミング信号が入力される場合であっても作動するものであるが、これに限るものではない。例えば、第２の入力端子１４に第２のタイミング信号が入力される場合は、それを検出して分周器１６が作動しないようにすることもできる。こうした場合、回路装置１０の消費電力を効果的に削減することができる。なお、この場合、第２の回路の初期化が必要であれば、第２の入力端子１４に入力された第２のタイミング信号が第２の回路に供給された段階で実行するようにすればよい。
【図面の簡単な説明】
【００３５】
【図１】本発明の一実施形態に係るタイミング信号切換装置が適用される半導体集積回路などの回路装置の概略構成を示すブロック図である。
【図２】図１に示す回路装置の使用動作例を説明するための接続例である。
【図３】図２に示す使用動作例におけるタイミングチャートである。
【図４】図１に示す回路装置の別の使用動作例を説明するための接続例である。
【図５】図４に示す使用動作例におけるタイミングチャートである。
【符号の説明】
【００３６】
１０  回路装置
１２  第１の入力端子（第１の入力部）
１４  第２の入力端子（第２の入力部）
１６  分周器
１８  カウンタ
２０  セレクタ
２２  第１の回路
２４  第２の回路
２８  タイミング信号切換装置
【図１】
2005244693.tif 000003
【図２】
2005244693.tif 000004
【図３】
2005244693.tif 000005
【図４】
2005244693.tif 000006
【図５】
2005244693.tif 000007